(57)【特許請求の範囲】
【請求項１】
サイドプレート（１４）によって両端が回転可能に支持される巻取パイプ（１６）と、巻取パイプ（１６）に一端側が巻取り及び巻解き可能に連結されているスクリーン（１８）と、巻取パイプ（１６）に常時スクリーン巻取り方向に回転させる力を加える巻取スプリング（２０）と、巻取パイプ（１６）の回転を許容する状態と規制する状態とに切換え可能なストッパ装置（２２）と、巻取パイプ（１６）へのスクリーンの巻取り上限位置を設定可能な巻取り上限位置設定装置（２４）と、を有するロールスクリーンにおいて、
前記ストッパ装置（２２）は、サイドプレート（１４）に固定された固定軸（３０）を有し、選択的に、前記固定軸（３０）と前記巻取パイプ（１６）とを連結し、前記固定軸（３０）と巻取パイプ（１６）とを連結解除するものであり、
前記巻取り上限位置設定装置（２４）は、前記固定軸（３０）内を貫通すると共に、固定軸（３０）を貫通して固定軸（３０）より延長した部分の外周面に雄ネジが形成された主軸（４２）と、該主軸（４２）の雄ネジに螺合すると共に、巻取パイプ（１６）と共に回転可能となったナット部材（４４）と、ナット部材（４４）の主軸（４２）上のそれ以上の移動を阻止する規制手段（５２）と、を有し、前記主軸（４２）がサイドプレート（１４）側から回転操作可能となっていることを特徴とするロールスクリーン。
【請求項２】
前記巻取り上限位置設定装置（２４）は、サイドプレート（１４）側から回転操作可能となったコントローラ（５０）と、コントローラ（５０）と主軸（４２）との間にあって、主軸（４２）からの回転を阻止し、コントローラ（５０）からの回転を主軸（４２）へと伝達するコントロール手段（４８）と、をさらに有する請求項１記載のロールスクリーン。
【発明の詳細な説明】
【０００１】
【発明の属する技術分野】
本発明は、ロールスクリーンに関し、特に巻取パイプへのスクリーンの巻取り上限位置を設定可能な巻取り上限設定装置を有するロールスクリーンに関する。
【０００２】
【従来の技術】
従来のこの種のロールスクリーンとしては、特開平７−２７９５６０号公報に記載されたものがある。この公報に記載されたロールスクリーンの巻取り上限設定装置は、サイドプレートに一端が相対回転可能に支持されるクラッチドラムと、クラッチドラムの外周側にあって、サイドプレートに固定されると共にクラッチドラムの他端を相対回転可能に支持するクラッチキャップと、クラッチドラムとクラッチキャップの間にあって、クラッチキャップの内周面に締結及び締結を解除可能にはめ合わされているとともに、クラッチドラムと所定角度相対回転可能に締結されるクラッチバネと、クラッチドラムに同心上に一体的に連結される主軸と、主軸に同心上に一体的に連結されるボルト軸と、巻取パイプに一体回転するように連結されているとともに、ボルト軸上を軸方向に移動可能に螺合されるナット部材と、ナット部材のボルト軸上の軸方向の移動を規制可能な規制部材と、を有している。また、主軸は、ストッパ装置を軸支している。ストッパ装置は、巻取パイプと主軸とを連結して巻取パイプの回転を規制する状態と、巻取パイプを主軸とを切り離して巻取パイプの回転を許容する状態とを切り換えるものである。
【０００３】
そして、巻取パイプへのスクリーンの巻取り上限位置を設定するときには、スプリングコントローラをクラッチドラムに取り付けて、所定方向に回転させると、クラッチバネがクラッチドラムとクラッチキャップとの締結を解除するために、クラッチドラムが回転し、これに伴って、主軸及びボルト軸とが回転して、ナット部材がボルト軸上を軸方向に移動する。こうしてナット部材の位置を調整することによって、所望のスクリーンの巻取り上限位置においてナット部材が規制部材に接触するようにする。使用時に、スクリーンが下降されている状態からスクリーンを巻取パイプに巻き取っていくと、巻取パイプと共に回転するナット部材がボルト軸上を軸方向に移動して、規制部材に接触するために、ナット部材が移動できなくなり巻取パイプの回転が規制されて、巻取り上限となるのである。
【０００４】
【発明が解決しようとする課題】
しかしながら、上記公報に記載されたものでは、スクリーンが上限位置以外に停止しているときには、上限位置の調整を行うことができないという問題がある。即ち、スクリーンが上限位置以外にあるときは、ストッパ装置によって巻取パイプと主軸とが連結されているために、スプリングコントローラを回転して主軸を回転させると、巻取パイプも一緒に回転してしまい、ボルト軸上のナット部材も巻取パイプと共回りするために、ナット部材はボルト軸上を軸方向に移動せず、スクリーンの巻解き量とナット部材との位置関係が操作者に分からなくなる。スクリーンの巻解き量とは関係なく上限位置が決定してしまうために、上限位置がどの位置にあるかは、スクリーンを一度上昇操作させて確認するより他ない。
【０００５】
また、上限位置を現在の設定位置から下げる場合には、上限位置でスクリーンが停止している状態から、スプリングコントローラの操作によって巻取パイプをスクリーン下降方向に回転させ、設定したい位置にスクリーンが下降するまで操作し続けなければならず、巻取パイプに印加されているスプリング復元力に対抗して操作しなければならないために、操作荷重が重くて大変であるという問題もある。
【０００６】
本発明はかかる課題に鑑みなされたもので、スクリーンが上限位置以外に停止していても、簡単に且つ明確にスクリーンの巻取り上限位置の調整を行うことができるロールスクリーンを提供することをその目的とする。
【０００７】
【課題を解決するための手段】
前述した目的を達成するために、請求項１記載の発明は、サイドプレートによって両端が回転可能に支持される巻取パイプと、巻取パイプに一端側が巻取り及び巻解き可能に連結されているスクリーンと、巻取パイプに常時スクリーン巻取り方向に回転させる力を加える巻取スプリングと、巻取パイプの回転を許容する状態と規制する状態とに切換え可能なストッパ装置と、巻取パイプへのスクリーンの巻取り上限位置を設定可能な巻取り上限位置設定装置と、を有するロールスクリーンにおいて、
前記ストッパ装置は、サイドプレートに固定された固定軸を有し、選択的に、前記固定軸と前記巻取パイプとを連結し、前記固定軸と巻取パイプとを連結解除するものであり、
前記巻取り上限位置設定装置は、前記固定軸内を貫通すると共に、固定軸を貫通して固定軸より延長した部分の外周面に雄ネジが形成された主軸と、該主軸の雄ネジに螺合すると共に、巻取パイプと共に回転可能となったナット部材と、ナット部材の主軸上の移動を阻止する規制手段と、を有し、前記主軸がサイドプレート側から回転操作可能となっていることを特徴とする。
【０００８】
上限位置の設定を行う例として、ストッパ装置を作動させてスクリーンを所望の上限高さに停止させた状態で設定を行うことを考える。この状態では、スクリーンは設定したい所望の上限高さに停止しているので、操作者にとって分かりやすい。この状態でサイドプレート側から主軸を回転操作すると、ストッパ装置によって巻取パイプと固定軸とが連結されており、巻取パイプは回転できないために、主軸の雄ネジに螺合したナット部材も回転することはできず、主軸上を軸方向に移動する。このようにしてナット部材を軸方向に移動させて規制手段によってその移動を阻止される位置まで動かせば、設定が完了する。こうして、簡単に設定を行うことができる。設定作業中に巻取パイプは回転しないために、スクリーンの巻解き量とナット部材との位置関係が不明確になることはなく、操作者にとって操作が分かりやすいものとなる。また、上限位置を現在の設定位置から下げたい場合には、その所望の設定位置までスクリーンを下降させてストッパ装置を作動させて停止させた後、先と同様に、主軸を回転操作すると、巻取パイプは回転できずナット部材が主軸上を移動するので、ナット部材を軸方向に移動させて規制手段によってその移動を阻止される位置まで動かせば良い。こうして再設定は完了する。この主軸回転操作中に、従来のように巻取パイプをスクリーンの巻解き方向に回転させないために、操作荷重は軽くて済む。
【０００９】
請求項２記載の発明は、請求項１記載のものにおいて、前記巻取り上限位置設定装置は、さらにサイドプレート側から回転操作可能となったコントローラと、コントローラと主軸との間にあって、主軸からの回転を阻止し、コントローラからの回転を主軸へと伝達するコントロール手段とをさらに有することを特徴とする。このコントロール手段によって、通常時には主軸の回転を阻止し、巻取り上限位置設定時にコントローラから操作するときにのみ主軸の回転を許容するようにすることができる。
【００１０】
【発明の実施の形態】
以下、図面を用いて本発明の実施の形態を説明する。
【００１１】
図１ないし図５は本発明のロールスクリーンを表す図であり、図において、ロールスクリーン１０は、窓枠等に取り付けるためのセットフレーム１２の両端に設けられるサイドプレート１４と、サイドプレート１４に回転可能に支持される巻取パイプ１６と、巻取パイプ１６に一端側が巻取り及び巻解き可能に連結されるスクリーン１８と、巻取パイプ１６内に配設されて巻取パイプ１６に常時スクリーン巻取方向に回転させる力を加える巻取スプリング２０と、巻取パイプ１６内に配設されるストッパ装置２２と、巻取パイプ１６内に配設される巻取り上限位置設定装置２４と、を有している。
【００１２】
ストッパ装置２２は、任意の構成をとることができるが、この実施形態のものは、ストッパ固定軸３０と、溝付きドラム３２と、ストッパケース３４と、ストッパケースキャップ３６と、クラッチスプリング３８と、ボール４０とを有している。
【００１３】
ストッパ固定軸３０は、その一端にフランジ部３０ａを有しており、このフランジ部３０ａに設けられた取付孔３０ｂを貫通するネジによって、サイドプレート１４に一体的に固定される。溝付きドラム３２は、ストッパ固定軸３０に軸支されており、その外周面には、前記ボール４０が摺動可能に嵌め込まれる溝３２ａが形成されている。溝３２ａには、ボール４０の摺動を止める複数の係止部が形成されている。
【００１４】
クラッチスプリング３８は、その一端がストッパ固定軸３０の周面に配置され、他端が溝付きドラム３２内へと挿入されている。クラッチスプリング３８は、ストッパ固定軸３０と溝付きドラム３２の連結と連結解除とを切換える役割をしている。また、ボール４０は、前記溝付きドラム３２の外周面の溝３２ａに摺動可能に嵌め込まれると共にストッパケース３４の内周面に形成された軸方向に伸びる溝３４ａ内に摺動可能に嵌め込まれており、よって、ボール４０はストッパケース３４と共に回転するようになっている。また、このストッパケース３４は、巻取パイプ１６の内周面に嵌め込まれており、巻取パイプ１６と一体的に回転する。
【００１５】
スクリーン１８を下方へと引っ張り、巻取パイプ１６をスクリーン１８の巻解き方向へと回転しようとすると、ストッパケース３４が巻取パイプ１６と共に回転し、ボール４０も共に回転して溝付きドラム３２の溝３２ａに形成された１つの係止部へと誘導される。そして、ボール４０が溝付きドラム３２をスクリーン１８の巻解き方向へと押圧する。これによって、クラッチスプリング３８の他端がクラッチスプリング３８を緩める方向へと押されて、クラッチスプリング３８が緩み、溝付きドラム３２とストッパ固定軸３０との連結が解除されるので、溝付きドラム３２も共に回転する。こうして、巻取パイプ１６はスクリーン１８の巻解き方向へと回転することができ、スクリーン１８は下降する。また、スクリーン１８の下方方向へと引っ張る力を解除すると、巻取パイプ１６は、巻取スプリング２０の力によってスクリーン１８の巻取方向へと回転しようとする。これに伴い、ストッパケース３４が巻取パイプ１６と共に回転し、ボール４０も共に先と反対方向へと回転して、溝付きドラム３２の溝３２ａの先の係止部から脱して、溝３２ａを相対的に移動して、別の係止部へと達して、溝付きドラム３２をスクリーン１８の巻取方向へと押圧する。これによって、クラッチスプリング３８の他端がクラッチスプリング３８を締付ける方向へと押されて、クラッチスプリング３８が締付けられて、溝付きドラム３２とストッパ固定軸３０とを連結する。これにより、溝付きドラム３２が回転することができないために、ボール４０、ストッパケース３４及び巻取パイプ１６の回転が禁止される。こうして、スクリーン１８は停止する。この状態から、スクリーン１８を少し引いて放すと、ボール４０は、溝付きドラム３２の溝３２ａの係止部を脱して、溝３２ａ内を移動可能となる。こうして、ボール４０が溝３２ａ内を移動可能であるために、ストッパケース３４及び巻取パイプ１６はスクリーン１８の巻取り方向へ回転することができて、スクリーン１８は上昇する。
【００１６】
そして、スクリーン１８が、巻取り上限位置設定装置２４によって設定される上限位置まで達すると、そこで、巻取りが停止する。
【００１７】
この巻取り上限位置設定装置２４は、主軸４２と、ナット部材４４と、ケース４６と、コントロールバネ４８と、コントローラ５０と、規制部材５２とを有している。
【００１８】
主軸４２は、その一端がストッパ固定軸３０のフランジ部３０ａの内側に位置付けられて、前記ストッパ固定軸３０を貫通して、他端側のストッパ固定軸３０よりもさらに延長して延びており、この延びた部分が雄ネジの形成されたボルト軸４２ａとなっている。ここでは、主軸４２とボルト軸４２ａとを一体品として構成しているが、主軸４２とボルト軸４２ａとを別部材で構成して、これらを一体的に連結するようにしてもよい。主軸４２の一端には、図４に示したように、外径方向に突出した突出部４２ｂが形成されている。
【００１９】
ナット部材４４は、ボルト軸４２ａの雄ネジに螺合する雌ネジが内周面に形成されており、ボルト軸４２ａ上を移動可能となっている。また、図５に示したように、ナット部材４４の外周面には、ケース４６の内周面に軸方向に伸びて形成されるキー４６ａに嵌合するキー溝４４ａが形成されている。
【００２０】
ケース４６の外周面には、図５に示したように、複数のキー溝４６ｂが形成されており、これらは、巻取パイプ１６の内周面に嵌合して、ケース４６は巻取パイプ１６と一体回転するようになっている。また、ケース４６の他端には、縦壁４６ｃが形成されており、その縦壁４６ｃの中央部に形成された中心孔は、前記主軸４２のボルト軸４２ａの他端側を軸支している。
【００２１】
また、ボルト軸４２ａの一端側には、規制部材５２が嵌め込まれている。
【００２２】
コントロールバネ４８（コントロール手段）は、図４に示したように、ストッパ固定軸３０のフランジ部３０ａの内側で且つ主軸４２の一端の外側に配置されており、その両端４８ａ、４８ａが内径方向に折曲されており、その折曲された両端４８ａ、４８ａの間に、前記主軸４２の突出部４２ｂが配置される。また、折曲された両端４８ａ、４８ａの反対側の間には、コントローラ５０の他端側に形成された円弧状の突出部５０ａが配置される。主軸４２が回転しようとして、突出部４２ｂが回転してコントロールバネ４８の両端４８ａ、４８ａのいずれか一方に当接すると、コントロールバネ４８を拡径してコントロールバネ４８がストッパ固定軸３０の内周面に締付けられる。これにより、主軸４２の回転が阻止される。他方、コントローラ５０を回転させると、突出部５０ａが回転してコントロールバネ４８の両端４８ａ、４８ａのいずれか一方に当接する。すると、コントロールバネ４８は縮径されてストッパ固定軸３０から解放されるために、主軸４２がコントロールバネ４８と共に回転可能となる。
【００２３】
コントローラ５０の突出部５０ａが形成された側と反対側の一端側は、サイドプレート１４を貫通して、サイドプレート１４の側面側を臨んでおり、その中心部には、非円形の作業孔５０ｂが形成されている（図３参照）。
【００２４】
以上のように構成される巻取り上限位置設定装置２４を用いて、上限位置を設定する場合の操作を説明する。
【００２５】
まず、スクリーン１８を、巻取り上限位置としたい位置まで巻取り、そこで前述のように、ストッパ装置２２を作動させてスクリーン１８を停止させる。
【００２６】
次に、六角レンチ等の工具を、前記コントローラ５０の作業孔５０ｂに差込み、コントローラ５０を回転させる。コントローラ５０を回転させると、上述したように、コントロールバネ４８が緩み、主軸４２が回転する。このとき、ストッパ装置２２によって巻取パイプ１６は、ストッパ固定軸３０と連結しており、巻取パイプ１６は回転することができないために、主軸４２のボルト軸４２ａに螺合したナット部材４４も回転できず、ナット部材４４は、ボルト軸４２ａ上を軸方向に移動する。こうして、ナット部材４４を規制部材５２に当接させてナット部材４４が動かなくなるまで、軸方向に移動させる。そして、工具を取り外せば、設定は完了する。
【００２７】
この状態からスクリーン１８を下方へと引っ張って巻取パイプ１６をスクリーン１８の巻解き方向へと回転させると、ストッパ装置２２により、溝付きドラム３２とストッパ固定軸３０との連結が解除されるために、スクリーン１８は下降する。そして、スクリーン１８を、上限位置よりも下方の任意の位置で、ストッパ装置２２を作動させて溝付きドラム３２とストッパ固定軸３０とを連結して、停止させることができる。このとき、ナット部材４４は、主軸４２のボルト軸４２ａ上を規制部材５２から遠ざかる方向へと移動して、規制部材５２から離れた位置に位置づけられる。
【００２８】
次いで、スクリーン１８を少し引っ張った後に解放すると、巻取パイプ１６は、巻取スプリング２０の力によってスクリーン１８の巻取り方向へと回転する。このとき、ナット部材４４は、規制部材５２の方へと向かって主軸４２のボルト軸４２ａ上を移動し、規制部材５２に接触してそれ以上移動することができなくなると、巻取パイプ１６の回転の巻取り方向へと回転が停止して、巻取り上限となる。尚、このとき、主軸４２の回転は、コントロールバネ４８によって禁止されている。
【００２９】
このように巻取り上限位置が設定されている状態において、上限位置の設定をより下方へと変更したい場合は、スクリーン１８を所望の上限位置へと下降させて、ストッパ装置２０を作動させてスクリーン１８を停止させた後、工具をコントローラ５０の作業孔５０ｂに差し込み、先と同様の手順で工具を回転して、主軸４２を回転させて、ナット部材４４をボルト軸４２ａ上で移動させて、ナット部材４４を規制部材５２に当接させる。これで設定変更が完了する。このときには、ナット部材４４を移動させるための操作力しかかからず、巻取パイプ１６を回転させる必要はないために、従来のように、巻取スプリング２０のバネ力がかからず、操作荷重は軽くて済む。
【００３０】
逆に、上限位置が設定されている状態において、上限位置の設定をより上方へと変更したい場合には、工具をコントローラ５０の作業孔５０ｂに差し込み、先と反対の方向へと工具を回転させて、主軸４２を回転させる。すると、ナット部材４４が規制部材５２に当接しており、それ以上動けないため、ナット部材４４と共に巻取パイプ１６が回転してスクリーン１８が巻取られていく。このとき、巻取パイプ１６は、ストッパ装置２２によってストッパ固定軸３０とは連結しておらず、回転は可能である。また、手動ではあるが、巻取スプリング２０のバネ力の助けも借りて、巻取パイプ１６をスクリーン１８の巻取り方向へと回転させていくために、操作荷重は軽くて済む。そして、所望の位置までスクリーン１８を上昇させたならば、工具の回転を止めて取り外せば、設定が完了する。
【００３１】
このようにこの実施形態によれば、設定が簡単で分かりやすく明確であり、且つその操作荷重も軽くてすむ。また、設定中に、巻取パイプ１６の巻取り量とナット部材４４のボルト軸４２ａ上での位置との関係は、常に明確であるため、上限位置が分からなくなるといったことはない。
【００３２】
【発明の効果】
以上説明したように、本発明によれば上限位置の設定が簡単であり、また、上限位置の設定をより下方へと変更したい場合にも、その操作荷重が軽くて済む。さらには、スクリーンが現在の上限設定位置になくても、設定を行うことができ、巻取パイプの巻取り量とナット部材のボルト軸上での位置との関係を明確にすることができる。
【図面の簡単な説明】
【図１】本発明のロールスクリーンの全体概略図である。
【図２】図１のロールクリーンの要部断面図である。
【図３】サイドプレートを除いた状態で見た図２の３線矢視図である（但し、スクリーンは省略している）。
【図４】図２の４−４線に沿って見た断面図である（但し、スクリーンは省略している）。
【図５】図２の５−５線に沿って見た断面図である（但し、スクリーンは省略している）。
【符号の説明】
１０  ロールスクリーン
１４  サイドプレート
１６  巻取パイプ
１８  スクリーン
２０  巻取スプリング
２２  ストッパ装置
２４  巻取り上限位置設定装置
３０  ストッパ固定軸
４２  主軸
４２ａ  ボルト軸
４４  ナット部材
４８  コントロールバネ（コントロール手段）
５０  コントローラ
５２  規制部材
【図１】
0003765994.tif 000002
【図２】
0003765994.tif 000003
【図３】
0003765994.tif 000004
【図４】
0003765994.tif 000005
【図５】
0003765994.tif 000006